(57)【要約】      （修正有）【課題】規制の領域の変更中に新しい適法なチャネルの選択を最適化すること及び多くの無線通信リンクに広く応用可能性を持つ潜在的な物理リンクにおける変更中の利用者の経験を改善する。【解決手段】送信チャネルは利用者のＱｏＳを支える容量のある通信機器によって開かれる。無線機器は送信が必要か判断するＳ３０４。送信の要求が必要な場合、規制上の制約に変更があったかどうかを判断するＳ３０６。変更があれば判断された規制上の制約に対応するため特定のチャネル修正アルゴリズムにより修正されるＳ３０８。機器は送信終了状態が生じたかどうかを判断するＳ３１２。送信終了状態でない場合はＳ３０４に戻る。【選択図】図３
2015015719.tif 000002
【特許請求の範囲】
【請求項１】
無線機器により規制上の制約において変更が生じたことを判断することと、
前記無線機器により前記規制上の制約に対応させるために既存チャネルを修正することと、
を含む規制の領域変更中にサービスの品質を維持する方法。
【請求項２】
前記既存チャネルを修正することは、
現在のチャネルと少なくとも同等程度に良い特性を持つ、新規制の領域に利用可能な一つのチャネル又は複数のチャネルが存在するかを判断すること、
を含む請求項１の方法。
【請求項３】
前記既存チャネルを修正することは、
新規制の領域に許容された送信チャネルを識別することと、
前記無線機器の既存サービスの品質の要求を満たす、前記識別され許容されたチャネルのサブセットから成るリストを作成することと、
を含む請求項１の方法。
【請求項４】
前記既存チャネルを修正することは、
前記無線機器の既存サービスの品質の要求を最もぴったりと満たす、新規制の領域に許容された送信チャネルを選択すること、
を含む請求項１の方法。
【請求項５】
前記無線機器の既存サービスの品質の要求を最もぴったりと満たす前記チャネルは、
サービスの品質の受忍できる低下を持つと判断される請求項４の方法。
【請求項６】
前記既存チャネルを修正することは、
前記無線機器にとってチャネル特性の最も良い組み合わせを持つ、新規制の領域で許容された送信チャネルを選択すること、
を含む請求項１の方法。
【請求項７】
無線通信信号を送受信することができる無線通信トランシーバー及び関連するアンテナと、
規制上の制約において変更が生じたことを判断すること及び前記規制上の制約に対応するために既存チャネルを修正することのためのプロセッサを含む前記トランシーバーに接続されたモデムと、
規制制約において変更が生じたことを判断すること及び前記規制上の制約に対応するために既存チャネルを修正することのための命令を格納するための前記モデムに接続されたメモリと、
を含む規制の領域変更中にサービスの品質の維持するための無線機器。
【請求項８】
規制上の制約において変更が生じたことを判断すること及び前記規制上の制約に対応するため既存チャネルを修正することのための前記プロセッサは、
現在のチャネルと少なくとも同程度に良い特性を持つ、前記新規制の領域で利用可能な一つのチャネル又は複数のチャネルが存在するか判断する請求項７の無線機器。
【請求項９】
規制上の制約において変更が生じたことを判断すること及び前記規制上の制約に対応するため既存チャネルを修正することのための前記プロセッサは、
新規制の領域で許容された送信チャネルを識別し、前記無線機器の既存サービスの品質の要求を満たす前記識別され許容されたチャネルのサブセットから成るリストを作成する請求項７の無線機器。
【請求項１０】
規制上の制約において変更が生じたことを判断すること及び前記規制上の制約に対応するために既存チャネルを修正することのための前記プロセッサは、
前記無線機器の既存サービスの品質の要求を最もぴったりと満たす、新規制の領域で許容された送信チャネルを選択する請求項７の無線機器。
【請求項１１】
前記無線機器の既存サービスの品質の要求を最もぴったりと満たす前記チャネルは、
前記プロセッサによりサービスの品質の受忍できる低下を持つと判断される請求項８の無線機器。
【請求項１２】
規制上の制約において変更が生じたことを判断すること及び前記規制上の制約に対応するために既存チャネルを修正することのための前記プロセッサは、
前記無線機器にとってチャネル特性の最も良い組み合わせを持つ、新規制の領域で許容された送信チャネルを選択する請求項７の無線機器。
【請求項１３】
無線通信信号を送受信するための手段と、
規制上の制約において変更が生じたことを判断すること及び前記規制上の制約に対応するため既存チャネルを修正することのための手段と、
規制上の制約において変更が生じたことを判断すること及び前記規制上の制約に対応するため既存チャネルを修正することのための命令を格納するための手段と、
を含む規制の領域変更中にサービスの品質を維持するための無線機器。
【請求項１４】
規制上の制約において変更が生じたことを判断すること及び前記規制上の制約に対応するために既存チャネルを修正することのための前記手段は、
現在のチャネルと少なくとも同程度に良い特性を持つ、新規制の領域で利用可能な一つのチャネル又は複数のチャネルが存在するかを判断する請求項１３の無線機器。
【請求項１５】
規制上の制約において変更が生じたことを判断すること及び前記規制上の制約に対応するために既存チャネルを修正することのための前記手段は、
新規制の領域に許容されたチャネルを識別し、前記無線機器の既存サービスの品質を満たす、前記識別され許容されたチャネルのサブセットから成るリストを作成する請求項１３の無線機器。
【請求項１６】
規制上の制約において変更が生じたことを判断すること及び前記規制上の制約に対応するために既存チャネルを修正することのための前記手段は、
前記無線機器の既存サービスの品質の要求を最もぴったりと満たす、新規制の領域で許容された送信チャネルを選択する請求項１３の無線機器。
【請求項１７】
前記無線機器の既存サービスの品質の要求を最もぴったりと満たす前記チャネルは、
規制上の制約の変更が生じたことを判断すること及び前記規制上の制約に対応するために既存チャネルを修正することのための前記手段によって、
サービスの品質の受忍できる低下を持つと判断される請求項１４の無線機器。
【請求項１８】
規制上の制約における変更が生じたことを判断すること及び前記規制上の制約に対応するために既存チャネルを修正することのための前記手段は、
前記無線機器にとってチャネル特性の最も良い組み合わせを持つ、新規制の領域で許容された送信チャネルを選択する請求項１３の無線機器。
【請求項１９】
コンピュータに規制上の制約における変更が生じたことを判断させるためのコードと、
コンピュータに前記規制上の制約に対応するために既存チャネルを修正させるためのコードと、
を含むコンピュータ可読媒体から成るコンピュータプログラム製品。
【請求項２０】
コンピュータに前記既存チャネルを修正させるための前記コードは、
現在のチャネルと少なくとも同程度に良い特性を持つ、前記新規制の領域に利用可能な１つのチャネル又は複数のチャネルが存在するか判断すること、
を含む請求項１９のコンピュータ製品。
【請求項２１】
コンピュータに前記既存チャネルの修正をさせるための前記コードは、
新規制の領域で許容される送信チャネルを識別することと、
前記無線機器の既存サービスの品質の要求を見たす、前記識別され許容されたチャネルのサブセットから成るリストを作成することと、
を含む請求項１９のコンピュータ製品。
【請求項２２】
コンピュータに前記既存チャネルを修正させるための前記コードは、
前記無線機器の既存サービスの品質の要求を最もぴったりと満たす、新規制の領域で許容された送信チャネルを選択すること、
を含む請求項１９のコンピュータ製品。
【請求項２３】
前記無線機器の既存サービスの品質の要求を最もぴったりと満たす前記チャネルは、
サービスの品質の許容できる低下を持つと判断される、請求項２２のコンピュータ製品。
【請求項２４】
コンピュータに前記既存チャネルを修正させるための前記コードは、
前記無線機器にとってチャネル特性の最もよい組み合わせを持つ、新規制の領域で許容された送信チャネルを選択すること、
を含む請求項１９のコンピュータ製品。
【発明の詳細な説明】
【技術分野】
【０００１】
本出願は、「ＡＰＰＡＲＡＴＵＳ  ＡＮＤ  ＭＥＴＨＯＤ  ＦＯＲ  ＭＡＮＡＧＩＮＧ  ＣＨＡＮＮＥＬ  ＣＨＡＮＧＥ  ＡＮＤ  ＭＡＩＮＴＡＩＮＩＮＧ  ＱＵＡＬＩＴＹ  ＯＦ  ＳＥＲＶＩＣＥ  ＩＮ  ＡＮ  ＵＬＴＲＡ  ＷＩＤＥ  ＢＡＮＤ  ＳＹＳＴＥＭ」とタイトルづけられた２００９年５月１０日に提出された米国仮出願、第６１／１７６，９１７号の出版に優先権を主張する。そして、本出願は譲渡人から譲渡されたものであり、参照によりここに完全に組み込まれている
記述された態様は無線通信及びさらに特に領域を横切る場合における無線通信サービスリンクの品質の維持に関係する。
【背景技術】
【０００２】
全ての無線通信システムはデバイスの間の無線チャネルリンクを確立しなければならない。チャネルは、データのあるタイプのための適合性に影響を与える帯域幅やレイテンシーのような多くの特性を持っている。これらの特性は、規制上の制約を含む要因によって影響を受ける。いくつかの通信標準は、許容されるチャネル特性について世界的な合意を欠落する。国際的な規制の領域は、おのおのローカルの適法な周波数レンジのような特性を指定することができる。機器は、周波数、電力レベル、その他その場所では適法でない特性によって通信がなされることを防止するため、送信の前に正しい位置と正しい規制の領域の情報を要求することができる。しかしながら、いくつかのケースでは、適法な送信周波数を規制の機器に知らせるための要求が適用されなかった。現在、使用されているチャネルが規制の境界線を横切り及び／又は規制の領域の変更によってもはや適法ではないことを機器に警告する機械機器を欠落しているいくつかの標準がある。機器は、機器にとって利用可能な周波数帯に影響をあたえる新しいローカルの規制の要求に合わせるために、チャネル変更を実行しなければならないことに気づかないままであろう。
【０００３】
規制の領域の変更でいくつかの固有の機器によりもはや適法でないチャネルが使用されていることに機器が気づいたとしても、単にチャネルの使用を停止させなければならないのみである。これは、説明なくビデオやオーディオが失われることのようなネガティブな経験を利用者にもたらすことになる。この開示は、当該問題を解決するオプションの幅広い種類を提供する技術を記述している。例えば、下記の技術を使用することで、機器は新規制の領域での適法な異なるチャネルを機器が選ぶことができる。
【０００４】
不運にも、規制の領域変更後の、利用可能な帯域の減少のようなチャネル特性における変化は、利用者の経験及びサービスの品質にネガティブな影響を与える。例えば、利用者のアプリケーションが、毎秒２０メガバイト（Ｍｂｓ）のビデオストリーミングをサポートするためサービスの品質の帯域幅の要求を持つ。もし新しい適法なチャネルの帯域幅が前のチャネルの帯域幅よりも小さいと、ビデオを受け取る能力が損なわれるかもしれない。したがって、規制の領域の変更中に新しいチャネルの選択を最適化し、利用可能な帯域幅に影響を与える潜在的な物理リンクにおける変更中にサービスの品質を維持することによって利用者の経験を改善するための技術が必要である。
【図面の簡単な説明】
【０００５】
開示された態様は、添付された図と関連して以下に記述される。添付された図は説明するために用いるのであって、開示された態様に限定するものではない。また、類似の指示は類似の要素を示している。
【図１】図１は伝統的な規制の帯域変更の典型的な概要のプロセスブロック図を示す。
【図２】図２はサービスの品質を維持する規制の領域変更の送信の典型的な概要のプロセスブロック図を示す。
【図３】図３はサービスの品質を維持する典型的な規制の領域変更の送信を示すフローチャートである。
【図４】図４は、規制の領域の変更中にサービスを維持するためチャネルを修正する典型的なアルゴリズムを示すフローチャートである。
【図５】図５は、規制の領域の変更中にサービスを維持するためチャネルを修正する典型的なアルゴリズムの他の態様を示すフローチャートである。
【図６】図６は、規制の領域を変更中にサービスの品質を維持することができる典型的な移動体機器を示すブロック図である。
【詳細な説明】
【０００６】
「典型的（ｅｘｅｍｐｌｙ）」という単語は、「例（ｅｘａｍｐｌｅ）、実例（ｉｎｓｔａｎｃｅ）又は事例（ｉｌｌｕｓｔｒａｔｉｏｎ）として役立つ」を意味するためにここで使用されている。ここで「典型的」として記載されている全ての実施例は、他の実例よりも好ましく又は有利であると解釈する必要はない。
【０００７】
ここで使用される「無線機器」という単語は、携帯電話、無線端末、ユーザー設備、ラップトップコンピュータ、高速データレイト（Ｈｉｇｈ  Ｄａｔａ  Ｒａｔｅ：ＨＤＲ）加入者設備、アクセス端末その他パーソナル通信システム（ｐｅｒｓｏｎａｌ  ｃｏｍｍｕｎｉｃａｔｉｏｎ  ｓｙｓｔｅｍ：ＰＣＳ）機器のような無線通信機器を指す。
【０００８】
「送信」という単語は、現在の機器から電波を放射するということを意味するために使用され、必ずしも通信が進行中であることを暗示しない。
【０００９】
規制の領域の変更中に新しいチャネルの選択を最適化し、潜在的な物理リンクにおける変更中に利用者の経験を改善するための機械機器は、携帯ネットワーク、無線ローカルエリアネットワーク（Ｗｉｒｅｌｅｓｓ  Ｌｏｃａｌ  Ａｒｅａ  Ｎｅｔｗｏｒｋ：ＷＬＡＮ）、そして無線パーソナルエリアネットワークＷＰＡＮを含む、多くの無線通信に幅広い適用可能性を持つ。他の典型的な出願は、無線ユニバーサルシリアルバス（Ｕｎｉｖｅｒｓａｌ  Ｓｅｒｉａｌ  Ｂｕｓ：ＵＳＢ）、ブルーツース（Ｂｌｕｅｔｏｏｔｈ（登録商標））のための高速チャネル、Ｗｉメディア（Ｗｉｍｅｄｉａ）の他の利用、無線周波数（Ｒａｄｉｏ  Ｆｒｅｑｕｅｎｃｙ：ＲＦ）帯域の与えられた一部における複数のチャネルを作成する多くの時間及び／又は帯域領域セパレーション技術を利用する無線技術の幅広い範囲を含む。本発明には、ＲＦ帯域の利用における国際的合意のないあらゆる無線システムに適用可能性がある。違いは、許容された周波数帯、許容された電力レベル、他の通信技術を検出し或いは避けるための要求、屋内外の利用要求、その他多くの点に関係がある。示された実例は、利用可能な帯域幅又はサービスの品質のメトリックに影響を与えるチャネルリンクにおける変更を利用するため、又は少なくともその影響を最小限にするための方法を供給する。
【００１０】
機器は物理チャネルが変更されなければならないと気づいた場合、示された実例は、機器に、単にイベントを無視するよりもよい利用者の経験及びサービスの品質の維持を供給する多数の方法で反応させる。機器は、アクセスしている、国ごとに規制された全ての情報を評価することで何が新しいチャネルとして許容されるかをチェックし、それに従って動く。機器は、新しい適法なチャネルの特性がサービスの品質（Ｑｕａｌｉｔｙ  ｏｆ  Ｓｅｒｖｉｃｅ：Ｑｏｓ）の要求を維持することを許すかどうかを予想し、できない場合に当該帯域の不足に対処する。反対に、機器は、新しい適法なチャネルが必要以上の容量を持っていると判断した場合、機器は利用可能な帯域幅の不必要な利用を避けるためチャネル予約を調整することができる。
【００１１】
１つの態様では、機器はチャネル変更が生じたかどうか確かめたことを調査し、あるいは機器にチャネル変更が生じたかどうかが通知される。チャネル変更の必要を発見すると、記機器は、国ごとの規制上の制約による潜在的なチャネルが利用可能かどうか判断する。不可能であれば、機器は直ちにチャネルを適法なそれに変更しようとする試みを開始する。チャネル変更カウント又は他の最適化アルゴリズムは、不運にも前後へチャネルが繰り返し変更されることを防ぐ。もし禁止されたチャネルから適法なチャネルへの変更の試みが失敗した場合、機器はその通信リンクの利用を中止しなければならない。
【００１２】
新しいチャネルが適法だとすると、機器はＱｏＳの必要をまだ維持することができるチャネルかどうか評価する。これは、新しい適法なチャネルの予測された特性と前のそれとを比較することにより構成されている。例えば、利用される帯域の量が同じであれば、容量も類似する。しかし、もし新しい適法なチャネルがより少ない帯域の量しか占めていなければ、容量も少ないといえる。もし予測された帯域幅がＱｏＳの要求には少なすぎる場合、機器は受容可能な許容量のある他のチャネルに変更しようと試みるか、現在の適法なチャネル内で帯域の割当を増加させること又はパフォーマンスを低下させることを試みる。もし新しく獲得されたチャネルが適法で予想された帯域幅が前のチャネルのそれより大きい場合、機器は中程度利用の比率を低下させるためチャネル内の帯域割当を決め直そうとする。これは、不必要な帯域を利用するため他のチャネルに再割り付けし、それにより全体の効率を改善する。
【００１３】
図１は、規制の領域変更１００中における従来の機器の送信を示している。規制の領域Ａを占める無線通信機器１０２は、領域Ａで適法なチャネルで送信する。無線機器１０２の利用者は、規制の領域の境界を横切り規制の領域Ｂ１０４に移行する。無線機器１０２は、規制上の制約における変更を認識できず不適法と思われる同じ方法で送信し続ける。若しくは、送信機器は規制の領域における変更に気づき、突然、利用者にリンクの喪失を経験させる、全ての不適切な送信をストップする。
【００１４】
図２は、サービスの品質２００を維持しながらの領域変更中に、機器の通信の典型的な概要プロセスのブロック図である。規制の領域Ａを占める無線機器１０２は、領域Ａで適法なチャネルで送信する。無線機器１０２の利用者は、規制の領域の境界を横切り規制の領域Ｂ１０４に移行する。機器１０２が国の規制の情報における変化に気が付くと、機器は、新規制の条件に対応しながら、課された要求を満たし続けるような方法で現存するリンクの修正を試みる。利用者は現在活動中のリンクを使用し続けることができ、変化に全く気づかないかもしれない。もし利用者の前のサービスの品質を維持することができる適法なチャネルが得られない場合、少なくとも利用者は機器から警告を受け、説明なく全てのサービスの停止を経験することよりはいいと状況を評価するだろう。利用者のチャネルのＱｏＳの要求の例は、チャネルにより運ばれる１つ又はそれ以上の通信リンクの最小限保証される帯域幅と、これらのリンク上のデータのパケットを運ぶため最大限受領可能なレイテンシーである。ストリーミングされているオーディオ及びビデオがチャネルによって運ばれている場合、これは特に重要である。以下の確実な限界では、データの品質は利用者に受け入れられない。
【００１５】
ＱｏＳを維持することは、単に「新しい法に従う」という方法で利用者の経験を改善されることや不利な影響を最小化すること以上に、図１に示された伝統的な規制の領域変更の送信を改善する。これは許容された帯域使用特性の知識とチャネル上の要求に対するパフォーマンスの評価のための機械を組み合わせることを含んでいる。前の条件より良い解決策が発見されるか、ちょうどいい解決策と判断される。条件がいずれも許可しない場合、利用者に対する不都合な影響は減少され、最後の手段としてただ通信が終了されるだけである。例えば、機器１０２は、利用者が完全に画像が失われることよりも低解像度の画面に切り替わることを好むという仮定の下で動作する。
【００１６】
図３はサービスの品質３００を維持しつつ規制の領域変更の送信中の典型的な機器の動作を示したフローチャートである。送信が必要とされる場合、規制の情報や制約が変更したかどうかチェックするために新規なチェックが行われる。もし規制上の制約が変更していれば、３つの結果のうち１つを持つ新しいアルゴリズムが呼び出される。現在のチャネルがまだ許容されているため現在のチャネルは利用され続けているか、新規制の領域に合わせるためチャネルは修正されるか、新規制の領域に適当なチャネルが許可されないためチャネルは終了される。
【００１７】
ステップ３０２で、送信チャネルは利用者のＱｏＳを支える容量のある通信機器によって開かれる。制御のフローはステップ３０４に進む。
【００１８】
ステップ３０４で、無線機器は送信が必要かどうか判断する。送信の要求が必要とされない場合、制御のフローはステップ３１２に進む。そうでなければ、制御のフローはステップ３０６に進む。
【００１９】
ステップ３０６で、無線機器は規制上の制約に変更があったかどうかを判断する。もし規制上の制約における変更がなければ、制御のフローはステップ３１０に進む。そうでなければ、制御のフローはステップ３０８に進む。
【００２０】
ステップ３０８では、既存チャネルをステップ３０６で判断された規制上の制約に対応するために修正される。チャネル修正アルゴリズムは図４及び５に詳述される。制御のフローはステップ３１０に進む。
【００２１】
ステップ３１０では、送信は選択されたチャネルで起こる。一旦送信が完全であれば、制御のフローはステップ３１２に進む。
【００２２】
ステップ３１２で、機器は送信終了状態が生じたかどうか判定する。典型的には、一定期間チャネルを利用する通信がもはやなくなる場合に、終了が生じる。もし送信終了条件が存在していないときは、制御のフローはステップ３０４に戻る。そうでなければ、制御のフローは、既存チャネルが閉じるステップ３１４に進む。
【００２３】
図４は、規制の領域変更４００中にサービスの品質を維持するための典型的なチャネル修正アルゴリズムを示したフローチャートである。この単純な態様では、チャネル修正アルゴリズムは既存チャネルが適法である限りそれをそのままにしておく。そうでない場合、もしリンクのためＱｏＳに要求をまだ合う、許容されたチャネルに変更することができる場合、機器はその様なチャネルに変更する。利用できるチャネルが許容されなければ、リンクは終了される。
【００２４】
規制上の制約変更が生じた場合、制御のフローはステップ４０２に進む。制御のフローはステップ４０４に進む。
【００２５】
ステップ４０４では、機器は、現在の送信チャネルがステップ４０２で判断された特性が新制約の下で適法かどうかを判断する。もし新制約の下で現在のチャネル特性が許容される場合、既存チャネルに対する修正が行われないステップ４１０に進む。そうでなければ、制御のフローはステップ４０６に進む。
【００２６】
ステップ４０６で、機器は少なくとも現在のチャネルと同程度に良い特性を持つ新規制の領域に利用可能な一つチャネル又は複数のチャネルがあるか判断する。もしそうであれば、制御のフローは、機器は新しく識別された利用可能なチャネルへ変更するステップ４１２に進む。そうでなければ、制御のフローは、現在のチャネルリンクはダウングレードされるか終了されるステップ４０８に進む。
【００２７】
図５は、規制の領域変更５００中にサービスの品質を維持するための典型的なチャネル修正アルゴリズムの他の一態様を示したフローチャートである。このより複雑な態様では、新規制の領域は既存チャネルの品質よりもよい品質のチャネルが許されるかもしれない。より高品品質なチャネルは以下から成り立っている。この機器においてより低い電力消費、より広い範囲、より良いエラー探知／修正によるより強いリンク、許容された帯域のより少ない利用に従って利用可能なチャネル数の潜在的増加、既知の干渉の影響を減少させるチャネル又は他のリンク上の干渉としての影響を減少させるチャネル。機器は、新領域条件によって許容されるチャネルのリストを作成し、そして、チャネル上の既存要求、例えば帯域幅とレイテンシーのＱｏＳの要求、を満たすこのリストのサブセットを選択する。もしこれらの要求を満たすチャネルがない場合、機器はＱｏｓの要求を最も良く満たすチャネルを選択する。代わりに、機器は、利用可能な特性がパフォーマンスにおいて受領できる悪化のしきい値に合うか、及び機器の効率をダウングレードするかを判断する。もし機器は効率のダウングレード又は最も良い識別されたチャネルへの変更に成功することができない場合、機器はリンクを終了する。もし一つ以上のチャネルが受領できる特性を持っている場合、機器はこの機器にとってパラメータの最も良い組み合わせを持つチャネルを選択する。
【００２８】
規制上の制約の変更が生じた場合、制御のフローはステップ５０２で始まる。制御のフローはステップ５０４に進む。
【００２９】
ステップ５０４では、機器は新規制の領域で許容される送信チャネルを識別する。制御のフローはステップ５０６に進む。
【００３０】
ステップ５０６で、機器はその既存ＱｏＳの要求を満たすステップ５０４で識別されたチャネルからチャネルのサブセットを含むリストを作成する。制御のフローはステップ５０８に進む。
【００３１】
ステップ５０８で、機器はそのＱｏＳの要求を満たすチャネルのリストが空か判断する。言いかえれば、機器は許容されるチャネルの全てがそのＱｏＳの要求を満たすかどうかを判断する。もしリストが空でない場合、機器は電力消費、帯域効率及び干渉特性の回避からなるリストから特性の最も良い組み合わせの許容されるチャネルを選択するステップ５１０に進む。制御のフローは、機器がステップ５１０で選択されたチャネルに変更するステップ５１２に進む。
【００３２】
もしリストが空の場合、制御のフローは、機器はステップ５０４で選んだＱｏＳの要求を最もぴったりと満たすチャネルを選択することを試みるステップ５１４に進み、ステップ５１６に進む。
【００３３】
ステップ５１６では、機器は、ステップ５１４で選択されたチャネルのＱｏＳにおける低下が受領されるか判断するする。もし新領域で機器が獲得する最良のチャネルのＱｏＳが受容できない場合、制御のフローは、リンクは終了され利用者への警告の可能性を許すステップ５１８に進む。もしＱｏＳが受容できる場合、制御のフローは、機器はステップ５１４で選択されたチャネルに変更するステップ５１２に進む。
【００３４】
図６は、規制の領域変更６００中に、サービスの品質を維持することが可能となる典型的な移動体機器を示したブロック図である。無線機器１０２は、無線通信信号を送受信できる無線通信トランシーバー６０４と関連するアンテナ６０２からなる。モデム６０６は、適切なマイクロプロセッサ６１２、デジタル信号プロセッサ６１４、及び信号処理のための相関器バンクのような適切なハードウェアによって構成される。電力管理６１０は、無線機器１０４の様々な部品のため電力を制御する。メモリ６０８は、モデムの様々な処理過程を実行するための必要物及び規制の領域変更中にサービスの品質を維持するための機能性として、モデム６０４に接続されている。無線機器１０２は英数字キーボード、ディスプレイ、マイクロフォン、スピーカーその他必要なもの（図に示されていない）を備えた適切なユーザーインターフェイスからなる。それは、無線機器１０２が示されていない多様な要素からなる技術を持つ技術者から、評価されるだろう。
【００３５】
ここに記述されている規制の領域変更中にサービスの品質を維持するための方法は、無線通信機器１０２のマイクロプロセッサ６１２、メモリ６０８を操作する適切な指示によって実行されるが、明確にその実行に限られるものではない。マイクロプロセッサ６１２は、電力制御６１０及び、規制の領域変更中にサービスの品質を維持するためにマイクロプロセッサ６１２に指示を出すコード又は命令を持ったメモリ６０８に接続されている。メモリ６０８は、規制の領域変更中にサービスの品質を維持ための命令から成る。メモリ６０８は、ＲＡＭメモリ、フラッシュメモリ、ＲＯＭメモリ、ＥＰＲＯＭメモリ、ＥＥＰＲＯＭメモリ、レジスタ、ハードディスク、リムーバディスク、ＣＤ−ＲＯＭ、又は技術において知られている記録媒体若しくはコンピュータ可読媒体の全ての種類を含む。典型的な態様では、制御プロセッサ６１２は、規制の領域変更中にサービスの品質を維持するため、図１−５のステップを記録しているメモリ６０８に格納されている命令を実行する。
【００３６】
図１−５に示された方法は、応用による様々な手段によって実行することができる。例えば、これらの方法は、ハードウェア、ファームウェア、ソフトウェア、又はこれらの組み合わせによって実行され得る。ハードウェアによる実行のため、演算機器は、１つ以上の特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔｓ：ＡＳＩＣ）、デジタル信号プロセッサ（ｄｉｇｉｔａｌ  ｓｉｇｎａｌ  ｐｔｏｃｅｓｓｏｒ：ＤＳＰ）、デジタル信号処理機器（ｄｉｇｉｔａｌ  ｓｉｇｎａｌ  ｐｒｏｃｅｓｓｉｎｇ  ｄｅｖｉｃｅｓ：ＤＳＰＤ）、プログラマルデジタルデバイス（ｐｒｏｇｒａｍｍａｂｌｅ  ｌｏｇｉｃ  ｄｅｖｉｃｅｓ：ＰＬＤ）、フィールドプログラマルゲートデバイス（ｆｉｅｌｄ  ｐｒｏｇｒａｍｍａｂｌｅ  ｇａｔｅ  ａｒｒａｙｓ：ＦＰＧＡ）、プロセッサ、コントローラ、マイクロコントローラ、マイクロプロセッサ、電子機器、その他ここに書かれた機能を実行するように設計された電子部品、若しくはこれらの組み合わせによって実行される。
【００３７】
図１−５に記載された方法の、ファームウェア及び／又はソフトウェア実行は、ここに記載された機能を実行できるモジュール（手続、機能など）によって実行される。例えば、ソフトウェアコードはメモリ、例えば無線機器１０２のメモリ６０８、に保存され、プロセッサ、例えば、無線機器１０２のプロセッサ６１２、で実行される。メモリは、プロセッサ６１２若しくはプロセッサ６１２の外部で実行される。本文中に使用された「メモリ」という単語は、長期保存、短期保存、揮発性、不揮発性又はその他のメモリの全てのタイプに言及し、メモリの特定タイプ若しくはメモリ数又はその他記録が格納されたメディアのタイプは限定されない。
【００３８】
明確に命令を具体化する全ての機械又はコンピュータ可読媒体は、ここで記述された方法を実行することに使用される。典型的な態様では、制御プロセッサ６１２は、規制の領域変更中にサービスの品質を維持するための図１−５のステップを記録したコンピュータ可読媒体に保存された命令を実行する。マイクロプロセッサ６１２は、マルチメディアファイルサンプルの予告を供給するためにコンピュータ可読媒体に格納された命令を実行する。
【００３９】
技術について熟練した者は、図１−５に示されたステップを命令することに限定されないことを理解できるだろう。方法は、記述された様態の範囲から離れることなく示されたステップの省略又は再命令によって、容易に変更される。
【００４０】
技術において熟練した者たちは、情報と信号が異なる技術及び手法の多様性の全てを使い、表現されることを理解するだろう。例えば、上記の記述の全体にわたって言及されているデータ、命令、コマンド、情報、信号、ビット、記号及びチップは、電圧、電流、電磁波、磁場及び磁性粒子、光学場及び光粒子、その他あらゆる組み合わせによって表現することができる。
【００４１】
さらに、熟練した者たちは、ここに記述された実施例に関連して記述された、様々な説明の論理ブロック、モジュール、回路及びアルゴリズムステップが、電気機器、コンピュータソフトウェア又は両者の組み合わせによって実行できると評価するだろう。ハードウェア、ソフトウェア、多様な説明のコンポーネント、ブロック、モジュール、回路及びステップの互換性が明確に記述されていることは、これらの機能性の点で上に一般的に記述されているということである。その様な機能性がハードウェア若しくはソフトウェアによって実行できるかどうかは、特定アプリケーションとシステム全体に課された設計制約にかかっている。当業者は、それぞれ特定アプリケーションのため方法を変化する方法により記述されている機能性を実行するが、そのような実行の決定は、本発明の範囲から逸脱させると解釈するべきではない。
【００４２】
本文中に記載された実施例に関して様々な論理ブロック、モジュール及び回路は、一般目的プロセッサ、デジタル信号プロセッサ（ＤＰＳ）、特定用途向け集積回路（ＡＳＩＣ）、フィールドプログラマブルゲートアレイ（ＦＰＧＡ）若しくはその他プログラマブルロジック機器、ディスクリートゲート若しくはトランジスタ、ディスクリートコンポーネント、又はここに記述された機能を実現するために設計されたあらゆるそれの組み合わせによって実行又は実現される。一般目的プロセッサはマイクロプロセッサであるが、代案としては、プロセッサは全ての伝統的なプロセッサ、コントローラ、マイクロコントローラ、又はステートマシンでもよい。プロセッサも、例えば、DSPとマイクロプロセッサの組み合わせ、マイクロプロセッサの多数、ＤＳＰコアを接続された１つ又はそれ以上のマイクロプロセッサ、その他全てのそのような構成のコンピューティングデバイスの組み合わせによって実行される。
【００４３】
本文中に記述された実施に関連する方法又はアルゴリズムのステップは、直接、ハードウェア、プロセッサによって実行されるソフトウェアモジュール、又はその２つの組み合わせによって実現される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、その他技術において知られたあらゆる記録媒体の形態に格納される。典型的な記録媒体は、プロセッサが記録媒体から情報を読み情報を書き込めるプロセッサに接続されている。代案としては、記録媒体はプロセッサに内蔵され得る。プロセッサと記録媒体は、ＡＳＩＣに属し得る。ＡＳＩＣは利用者端末に属し得る。代案としては、プロセッサと記録媒体は利用者端末にディスクリートコンポーネントとして属してもよい。
【００４４】
記述された実施例の前の記述は、技術において当業者に本発明を作成又は利用できるようにするために供給された。これら実施例の様々な修正は、技術における当業者たちにとって容易に明確であるだろう。また、ここに定義された一般的な原理は、発明の精神及び範囲から外れることなく他の実施に応用される。したがって、本発明は、ここに示された実施例に限るつもりはないが、ここに示された原理及び新規な特徴が一致する最も広い範囲が与えられる。
【図１】
2015015719.tif 000003
【図２】
2015015719.tif 000004
【図３】
2015015719.tif 000005
【図４】
2015015719.tif 000006
【図５】
2015015719.tif 000007
【図６】
2015015719.tif 000008
【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
無線機器により規制上の制約において変更が生じたことを判断すること（３０６）と、
前記無線機器により、前記判断まで送信に使用された既存無線チャネル上の送信から前記規制上の制約に対応する別の無線チャネル上の送信へ変更すること（３０８）と、
を含み、
前記変更することは、
新規制の領域で許容された送信チャネルを識別することと、
前記無線機器の既存サービスの品質の要求を満たす、前記識別され許容されたチャネルのサブセットから成るリストを作成することと、
もしこれらの要求を満たすチャネルが存在する場合、前記チャネル上の前記既存要求を満たす前記リストのサブセットを選択すること、および
もしこれらの要求を満たすチャネルが存在しない場合、前記サービスの品質の要求を最もぴったりと満たす新規制の領域で許容された送信チャネルを選択すること
を含む、規制の領域変更中にサービスの品質を維持するための方法。
【請求項２】
前記変更することは、現在のチャネルと少なくとも同等程度に良い特性を持つ、前記新規制の領域で利用可能な一つのチャネル又は複数のチャネルが存在するか判断すること
を含む請求項１の方法。
【請求項３】
前記無線機器の前記既存のサービスの品質の要求を最もぴったりと満たす前記チャネルは、サービスの品質の許容できる低下を持つと判断される請求項１の方法。
【請求項４】
前記許容された送信チャネルを選択することは、
前記無線機器にとってチャネル特性の最もよい組み合わせを持つ、新規制の領域で許容された送信チャネルを選択すること
を含む請求項１の方法。
【請求項５】
無線通信信号を送受信することのための手段（６０４）と、
規制上の制約において変更が生じたことを判断すること及び前記判断まで送信に使用された既存無線チャネル上の送信から前記規制上の制約に対応する別の無線チャネル上の送信へ変更することのための手段（６０６）と、
前記判断すること及び前記変更することのための命令を格納することのための手段（６０８）と、
を含み、
判断すること及び変更することのための前記手段は、
新規制の領域で許容された送信チャネルを識別することのための手段と、
前記無線機器の既存サービスの品質の要求を満たす、前記識別され許容されたチャネルのサブセットから成るリストを作成することのための手段と、
もしこれらの要求を満たすチャネルが存在する場合、前記チャネル上の前記既存要求を満たす前記リストのサブセットを選択することのための手段と、
もしこれらの要求を満たすチャネルが存在しない場合、前記サービスの品質の要求を最もぴったりと満たす新規制の領域で許容された送信チャネルを選択することのための手段と
を含む、規制の領域変更中にサービスの品質を維持するための無線機器。
【請求項６】
判断すること及び変更することのための前記手段は、現在のチャネルと少なくとも同等程度に良い特性を持つ、前記新規制の領域で利用可能な一つのチャネル又は複数のチャネルが存在するか判断する請求項５の無線機器。
【請求項７】
前記無線機器の前記既存サービスの品質の要求を最もぴったりと満たす前記チャネルは、判断することのための前記手段により、サービスの品質の許容できる低下を持つと判断される請求項５の無線機器。
【請求項８】
許容された送信チャネルを選択することのための前記手段は、前記無線機器にとってチャネル特性の最もよい組み合わせを持つ、新規制の領域で許容された送信チャネルを選択する請求項６の無線機器。
【請求項９】
コンピュータに規制上の制約における変更が生じたことを判断させるためのコードと、
前記コンピュータに前記判断まで送信に使用された既存無線チャネル上の送信から前記規制上の制約に対応する別の無線チャネル上の送信に変更させるためのコードと、
を含み、
前記コンピュータに変更させるための前記コードは、
前記コンピュータに新規制の領域で許容された送信チャネルを識別させるためのコードと、
前記コンピュータに前記無線機器の既存サービスの品質の要求を満たす、前記識別され許容されたチャネルのサブセットから成るリストを作成させるためのコードと、
もしこれらの要求を満たすチャネルが存在する場合、前記コンピュータに前記チャネル上の前記既存要求を満たす前記リストのサブセットを選択させるためのコードと、
もしこれらの要求を満たすチャネルが存在しない場合、前記コンピュータに前記サービスの品質の要求を最もぴったりと満たす新規制の領域で許容された送信チャネルを選択させるためのコードと
を含む、コンピュータプログラム。
【請求項１０】
前記コンピュータに変更させるための前記コードは、前記コンピュータに現在のチャネルと少なくとも同等程度に良い特性を持つ、前記新規制の領域で利用可能な一つのチャネル又は複数のチャネルが存在するか判断させる、請求項９のコンピュータプログラム。
【請求項１１】
前記無線機器の前記既存サービスの品質の要求を最もぴったりと満たす前記チャネルは、サービスの品質の許容できる低下を持つと判断される、請求項９のコンピュータプログラム。
【請求項１２】
前記コンピュータに許容された送信チャネルを選択させるための前記コードは、前記コンピュータに前記無線機器にとってチャネル特性の最もよい組み合わせを持つ、新規制の領域で許容された送信チャネルを選択させる、請求項９のコンピュータプログラム。
【手続補正２】
【補正対象書類名】明細書
【補正対象項目名】００４４
【補正方法】変更
【補正の内容】
【００４４】
記述された実施例の前の記述は、技術において当業者に本発明を作成又は利用できるようにするために供給された。これら実施例の様々な修正は、技術における当業者たちにとって容易に明確であるだろう。また、ここに定義された一般的な原理は、発明の精神及び範囲から外れることなく他の実施に応用される。したがって、本発明は、ここに示された実施例に限るつもりはないが、ここに示された原理及び新規な特徴が一致する最も広い範囲が与えられる。
以下に、本願出願の当初の特許請求の範囲に記載された発明を付記する。
［Ｃ１］
無線機器により規制上の制約において変更が生じたことを判断することと、
前記無線機器により前記規制上の制約に対応させるために既存チャネルを修正することと、
を含む規制の領域変更中にサービスの品質を維持する方法。
［Ｃ２］
前記既存チャネルを修正することは、
現在のチャネルと少なくとも同等程度に良い特性を持つ、新規制の領域に利用可能な一つのチャネル又は複数のチャネルが存在するかを判断すること、
を含むＣ１の方法。
［Ｃ３］
前記既存チャネルを修正することは、
新規制の領域に許容された送信チャネルを識別することと、
前記無線機器の既存サービスの品質の要求を満たす、前記識別され許容されたチャネルのサブセットから成るリストを作成することと、
を含むＣ１の方法。
［Ｃ４］
前記既存チャネルを修正することは、
前記無線機器の既存サービスの品質の要求を最もぴったりと満たす、新規制の領域に許容された送信チャネルを選択すること、
を含むＣ１の方法。
［Ｃ５］
前記無線機器の既存サービスの品質の要求を最もぴったりと満たす前記チャネルは、
サービスの品質の受忍できる低下を持つと判断されるＣ４の方法。
［Ｃ６］
前記既存チャネルを修正することは、
前記無線機器にとってチャネル特性の最も良い組み合わせを持つ、新規制の領域で許容された送信チャネルを選択すること、
を含むＣ１の方法。
［Ｃ７］
無線通信信号を送受信することができる無線通信トランシーバー及び関連するアンテナと、
規制上の制約において変更が生じたことを判断すること及び前記規制上の制約に対応するために既存チャネルを修正することのためのプロセッサを含む前記トランシーバーに接続されたモデムと、
規制制約において変更が生じたことを判断すること及び前記規制上の制約に対応するために既存チャネルを修正することのための命令を格納するための前記モデムに接続されたメモリと、
を含む規制の領域変更中にサービスの品質の維持するための無線機器。
［Ｃ８］
規制上の制約において変更が生じたことを判断すること及び前記規制上の制約に対応するため既存チャネルを修正することのための前記プロセッサは、
現在のチャネルと少なくとも同程度に良い特性を持つ、前記新規制の領域で利用可能な一つのチャネル又は複数のチャネルが存在するか判断するＣ７の無線機器。
［Ｃ９］
規制上の制約において変更が生じたことを判断すること及び前記規制上の制約に対応するため既存チャネルを修正することのための前記プロセッサは、
新規制の領域で許容された送信チャネルを識別し、前記無線機器の既存サービスの品質の要求を満たす前記識別され許容されたチャネルのサブセットから成るリストを作成するＣ７の無線機器。
［Ｃ１０］
規制上の制約において変更が生じたことを判断すること及び前記規制上の制約に対応するために既存チャネルを修正することのための前記プロセッサは、
前記無線機器の既存サービスの品質の要求を最もぴったりと満たす、新規制の領域で許容された送信チャネルを選択するＣ７の無線機器。
［Ｃ１１］
前記無線機器の既存サービスの品質の要求を最もぴったりと満たす前記チャネルは、
前記プロセッサによりサービスの品質の受忍できる低下を持つと判断されるＣ８の無線機器。
［Ｃ１２］
規制上の制約において変更が生じたことを判断すること及び前記規制上の制約に対応するために既存チャネルを修正することのための前記プロセッサは、
前記無線機器にとってチャネル特性の最も良い組み合わせを持つ、新規制の領域で許容された送信チャネルを選択するＣ７の無線機器。
［Ｃ１３］
無線通信信号を送受信するための手段と、
規制上の制約において変更が生じたことを判断すること及び前記規制上の制約に対応するため既存チャネルを修正することのための手段と、
規制上の制約において変更が生じたことを判断すること及び前記規制上の制約に対応するため既存チャネルを修正することのための命令を格納するための手段と、
を含む規制の領域変更中にサービスの品質を維持するための無線機器。
［Ｃ１４］
規制上の制約において変更が生じたことを判断すること及び前記規制上の制約に対応するために既存チャネルを修正することのための前記手段は、
現在のチャネルと少なくとも同程度に良い特性を持つ、新規制の領域で利用可能な一つのチャネル又は複数のチャネルが存在するかを判断するＣ１３の無線機器。
［Ｃ１５］
規制上の制約において変更が生じたことを判断すること及び前記規制上の制約に対応するために既存チャネルを修正することのための前記手段は、
新規制の領域に許容されたチャネルを識別し、前記無線機器の既存サービスの品質を満たす、前記識別され許容されたチャネルのサブセットから成るリストを作成するＣ１３の無線機器。
［Ｃ１６］
規制上の制約において変更が生じたことを判断すること及び前記規制上の制約に対応するために既存チャネルを修正することのための前記手段は、
前記無線機器の既存サービスの品質の要求を最もぴったりと満たす、新規制の領域で許容された送信チャネルを選択するＣ１３の無線機器。
［Ｃ１７］
前記無線機器の既存サービスの品質の要求を最もぴったりと満たす前記チャネルは、
規制上の制約の変更が生じたことを判断すること及び前記規制上の制約に対応するために既存チャネルを修正することのための前記手段によって、
サービスの品質の受忍できる低下を持つと判断されるＣ１４の無線機器。
［Ｃ１８］
規制上の制約における変更が生じたことを判断すること及び前記規制上の制約に対応するために既存チャネルを修正することのための前記手段は、
前記無線機器にとってチャネル特性の最も良い組み合わせを持つ、新規制の領域で許容された送信チャネルを選択するＣ１３の無線機器。
［Ｃ１９］
コンピュータに規制上の制約における変更が生じたことを判断させるためのコードと、
コンピュータに前記規制上の制約に対応するために既存チャネルを修正させるためのコードと、
を含むコンピュータ可読媒体から成るコンピュータプログラム製品。
［Ｃ２０］
コンピュータに前記既存チャネルを修正させるための前記コードは、
現在のチャネルと少なくとも同程度に良い特性を持つ、前記新規制の領域に利用可能な１つのチャネル又は複数のチャネルが存在するか判断すること、
を含むＣ１９のコンピュータ製品。
［Ｃ２１］
コンピュータに前記既存チャネルの修正をさせるための前記コードは、
新規制の領域で許容される送信チャネルを識別することと、
前記無線機器の既存サービスの品質の要求を見たす、前記識別され許容されたチャネルのサブセットから成るリストを作成することと、
を含むＣ１９のコンピュータ製品。
［Ｃ２２］
コンピュータに前記既存チャネルを修正させるための前記コードは、
前記無線機器の既存サービスの品質の要求を最もぴったりと満たす、新規制の領域で許容された送信チャネルを選択すること、
を含むＣ１９のコンピュータ製品。
［Ｃ２３］
前記無線機器の既存サービスの品質の要求を最もぴったりと満たす前記チャネルは、
サービスの品質の許容できる低下を持つと判断される、Ｃ２２のコンピュータ製品。
［Ｃ２４］
コンピュータに前記既存チャネルを修正させるための前記コードは、
前記無線機器にとってチャネル特性の最もよい組み合わせを持つ、新規制の領域で許容された送信チャネルを選択すること、
を含むＣ１９のコンピュータ製品。
【外国語明細書】
2015015719000001.pdf